(57)【特許請求の範囲】
【請求項１】
ガラスパネルおよびこの上側の外壁部分を含んで形成された外壁の汚れ防止構造であって、
前記ガラスパネルの上端縁を保持する横材に設けられ、かつ当該横材と前記外壁部分の下端縁とのシール部分を乗り越えて伝い落ちる水を受ける横樋部と、
この横樋部に流れ込んだ水を、当該横樋部下側のガラスパネルを避けて下方に排水する排水部とを備えた
外壁の汚れ防止構造。
【請求項２】
水の流れを前記横樋部から前記排水部に案内する案内部を備えている請求項１に記載の外壁の汚れ防止構造。
【請求項３】
前記排水部は、前記ガラスパネルの鉛直な辺縁をシールするシール材に沿って設けられている請求項１または請求項２に記載の外壁の汚れ防止構造。
【請求項４】
前記排水部は、前記外壁に設けられた縦材の中空部分である請求項１または請求項２に記載の外壁の汚れ防止構造。
【請求項５】
前記ガラスパネルの上側の壁面部分には光触媒コーティングが施されている請求項１ないし請求項４のいずれかに記載の外壁の汚れ防止構造。
【発明の詳細な説明】
【０００１】
【発明の属する技術分野】
本発明は、外壁の汚れ防止構造に係り、サッシ窓等が設けられた住宅用の外壁や、カーテンウォールで形成されたビルの外壁の汚れ防止構造に関する。具体的には、例えば、複数のガラスパネルおよび光触媒を利用した防汚パネルからなる外壁の汚れ防止構造に利用できる。
【０００２】
【背景技術】
近年、光触媒を利用した防汚パネルで住宅やビル等の外壁を形成することが行われている。このような防汚パネルは、金属板の表面に酸化チタン塗料をコーティングすることで、光触媒による防汚効果が付与されたものであり、清掃コストなどの削減に効果が期待できる。
【０００３】
【発明が解決しようとする課題】
ところで、建物の外壁としては、採光や意匠性の観点から、金属板からなる防汚パネルの他にガラスパネルを組み合わせることが多い。
しかし、ガラスパネルの上側に防汚パネルが配置されていると、防汚パネル上の汚れが雨水で容易に下方に流されるために、その汚れを含んだ雨水がガラスパネルに達してガラス面を反対に汚してしまうという問題がある。
【０００４】
そこで、ガラスパネルおよび防汚パネルの間に庇状の水切り部材を設け、汚れを含んだ雨水を下方に落下させることも考えられるが、このような場合でも、落下途中の雨水が風などによってガラスパネル側に戻されてしまうので、やはりガラス面が汚れるのを有効に防止することはできない。
【０００５】
そして、このような問題は、防汚パネルを用いた場合に特に顕著に現れるが、ガラスパネルの上側に石材パネルやアルミ製の金属パネルを配置した場合、また、住宅等においては、モルタルあるいはサイディング等からなる外壁にガラス障子を備えたサッシ窓を設けた場合にも生じる可能性がある。
【０００６】
本発明の目的は、外壁を形成するガラスパネルが汚れるのを確実に防止できる外壁の汚れ防止構造を提供することにある。
【０００７】
【課題を解決するための手段】
本発明の外壁の汚れ防止構造は、ガラスパネルおよびこの上側の外壁部分を含んで形成された外壁の汚れ防止構造であって、前記ガラスパネルの上端縁を保持する横材に設けられ、かつ当該横材と前記外壁部分の下端縁とのシール部分を乗り越えて伝い落ちる水を受ける横樋部と、この横樋部に流れ込んだ水を、当該横樋部下側のガラスパネルを避けて下方に排水する排水部とを備えていることを特徴とする。
【０００８】
このような本発明によれば、壁面を伝ってガラスパネル上に達しようとする汚れた雨水などは、ガラスパネルの上側に設けられた横樋部で受けられた後、この横樋部から排水部を通って下方に確実に排水されるので、ガラスパネル上に汚れが付着することはなく、ガラスパネルが汚れる心配がない。
そして、横材を押出形材などで製作することで、横材の製作と同時に横樋部が一体に設けられるようになるから、横樋部の形成が容易である。また、別部材を横材に取り付けて横樋部を形成する場合にも、このような別部材が長手方向（横方向）に沿って横材に確実に取り付けられるようになるので、横樋部が容易に外れたり、機能しなくなったりといった不具合が生じない。
【０００９】
また、本発明の汚れ防止構造では、水の流れを前記横樋部から前記排水部に案内する案内部を備えていることが好ましい。
このような構成では、案内部を設けることにより、横樋部および排水部の間から雨水等が漏れ出すおそれがなくなり、排水がより確実に行えるようになる。
【００１１】
一方、前記排水部は、前記ガラスパネルの鉛直な辺縁をシールするシール材に沿って設けられてもよい。
シール材の表面は油脂分によって汚れやすいが、このような構成では、雨水等がシール材の表面を伝って流れ落ちることになるので、シール材上の汚れも良好に洗い落とすことが可能である。
【００１２】
これに対し、前記排水部は、前記外壁に設けられた縦材の中空部分であってもよく、このような場合には、流れ落ちる雨水等が風などの影響で飛散する心配がないから、排水性が格段に向上する。
【００１３】
そして、本発明の汚れ防止構造では、前記ガラスパネルの上側の壁面部分には光触媒コーティングが施されていてもよい。
このような構成では、多くの汚れを含んだ雨水等が光触媒コーティングされた壁面部分から流れ落ちるが、横樋部によってそのような雨水をガラスパネル上に確実に達しないようにできるので、本発明の効果を最も有効に生かすことができ、従って、外壁面の清掃等にかかるメンテナンスコストが大幅に削減される。
【００１４】
【発明の実施の形態】
以下、本発明の各実施形態を図面に基づいて説明する。なお、後述する第２実施形態以降では、次に説明する第１実施形態と同じ部材もしくは同様な機能部材には同一符号を付し、それらの説明を省略または簡略化する。
【００１５】
〔第１実施形態〕
図１は、ビル等の外壁であるカーテンウォール１の要部を示す外観姿図、図２は、図１の矢印II−IIから見た縦断面図、図３は、図１の矢印III−IIIから見た横断面図である。
【００１６】
カーテンウォール１は、縦通しの複数の方立１０と横材である複数の無目２０とで区画された領域にガラスパネル３０およびアルミパネル４０を配置した構成であり、本実施形態では、ガラスパネル３０とアルミパネル４０とが上下方向に交互に配置されている。
【００１７】
方立１０は、アルミの押出形材からなり、室内側の中空部１１（図３）と、室外側に設けられて無目２０の端部を呑み込む横断面Ｔ字形状の呑込部１２とを備えている。中空部１１の外側には、アルミパネル４０に対応した位置に耐火パネル１３（図２）が固定されている。呑込部１２内には、無目２０取付用の無目ブラケット１４が固定されているとともに、押出形材製の縦押縁１５が長手方向に沿って連続して係合されている。そして、縦押縁１５および呑込部１２の室外側部分で、各パネル３０，４０（図３にアルミパネル４０のみを図示）の左右の端縁が保持されている。
【００１８】
無目２０も、アルミの押出形材からなり、室内側の中空部２１と、中空部２１の室外側に設けられて上側のパネル３０，４０の下端縁を保持する保持部２２とを備えている。保持部２２の室外側および下方側には、押出形材製の化粧カバー２３および横押縁２４がそれぞれ長手方向に連続して係合されている。そして、この横押縁２４および中空部２１の室外側面で下側のパネル３０，４０の上端縁が保持されている。
【００１９】
また、各パネル３０、４０のうち、アルミパネル４０は、室外側表面に酸化チタンによる光触媒コーティングが施された防汚パネルであり、表面の有機物などの汚れを光触媒反応の有機物分解で分解し、超親水性によって雨水等で容易に流し落とすことが可能になっている。
【００２０】
以下には、本実施形態の最も特徴的な構成を説明する。
無目２０において、化粧カバー２３が取り付けられた状態では、当該化粧カバー２３の上向の突片部２３Ａと、突片部２３Ａ近傍の係止片２３Ｂと、保持部２２の室外側の上端部２２Ａとにより、無目２０の長手方向に連続した溝状の横樋部５０が形成されている。
【００２１】
また、この横樋部５０の両端には切欠部５１が設けられており、雨水は切欠部５１を抜けて下方に落下したり、各パネル３０，４０の左右端縁側やこの端縁側のシール材１６を伝って下方に流れ落ちるようになっている。すなわち、各パネル３０，４０の鉛直な端縁側部分およびシール材１６の表面を含み、これらに沿った上下方向の領域が本発明に係る排水部６０になっている。
【００２２】
なお、本実施形態では、横樋部５０が全ての無目２０に設けられているが、ガラスパネル３０の下側に配置された無目２０においては、横樋部５０は必要に応じて設けられればよく、省略可能である。このような構成は、例えば、化粧カバー２３として突片部２３Ａがないものを用いればよい。ただし、部材の種類や化粧カバー用の金型数を低減する観点からは、突片部２３Ａ付の化粧カバー２３で統一したほうがよい。
【００２３】
このような本実施形態においては、例えば、アルミパネル４０に降り注いだ雨水は、パネル表面の汚れを多く含んだまま下方に伝い落ちるが、ガラスパネル３０に達する前に無目２０の横樋部５０で受けられる。雨水はこの後、横樋部５０内を左右に流れ、切欠部５１から排水部６０を通って下方に流れ落ち、最終的にカーテンウォール１の下端まで達する。
また、ガラスパネル３０に降り注いだ雨水の流れも同様である。
【００２４】
このような本実施形態によれば、以下のような効果がある。
１）カーテンウォール１の無目２０には横樋部５０が設けられているので、アルミパネル４０から伝い落ちる汚れた雨水などを、その下方のガラスパネル３０の上側に設けられた無目２０の横樋部５０で受けた後、この横樋部５０から排水部６０を通して下方に確実に排水できる。従って、汚れた雨水がガラスパネル３０に達する心配がないから、ガラスパネル３０上に汚れが付着するのを防止でき、ガラスパネル３０が汚れるのを確実に防止できる。
【００２５】
２）横樋部５０は、無目２０および化粧カバー２３の一部で形成されているが、無目２０および化粧カバー２３は、それらの長手方向に沿って連続して互いに係合しているため、化粧カバー２３が容易に外れる心配がなく、横樋部５０を無目２０に確実に設けておくことができる。
【００２６】
３）シール材１６の表面は、油脂分によって汚れやすいが、前記実施形態では、排水部６０がシール材１６に沿って設けられているから、雨水等をこのシール材１６の表面を伝って流れ落とすことができ、シール材１６上の汚れも良好に洗い流すことができる。
【００２７】
４）本実施形態では、アルミパネル４０が光触媒コーティングされた防汚パネルであり、多くの汚れを含んだ雨水等がその表面から流れ落ちるが、横樋部５０によってそのような雨水をガラスパネル３０上に確実に達しないようにできるので、前述した１）の効果を最も有効に生かすことができ、従って、カーテンウォール１の清掃等にかかるメンテナンスコストを大幅に削減できる。
【００２８】
５）横樋部５０は、ガラスパネル３０の下側の無目２０にも設けられているから、ガラスパネル３０に降り注いだ雨水も、その下方のアルミパネル４０に達する心配がない。このため、ガラスパネル３０が多少汚れている場合でも、この汚れを含んだ雨水がアルミパネル４０に達しないことにより、防汚パネルからなるアルミパネル４０での洗浄作用を汚れの少ない雨水で行うことができ、防汚効果を向上させることができる。
【００２９】
〔第２実施形態〕
図４には、第２実施形態に係るカーテンウォール２の横断面が示されている。
カーテンウォール２では、方立１０に設けられた呑込部１２の形状、および横樋部５０の端部の形状が前記第１実施形態とはそれぞれ異なる。
具体的には、呑込部１２の室外側を形成している保持片１７の先端側には、上下方向に連続した溝状の縦樋部７０が設けられ、この縦樋部７０が本発明に係る排水部になっている。また、横樋部５０の端部には、第１実施形態のような切欠部５１（図３）は設けられておらず、横樋部５０の端部がそのまま縦樋部７０に連通している。
このような形態では、横樋部５０で受けた雨水は、横樋部５０の端部から縦樋部７０に流れ込み、この縦樋部７０内を伝ってカーテンウォール２の下端側に排水される。
【００３０】
本実施形態によれば、横樋部５０が設けられていることで前述した１）の効果を得ることができるうえ、他の同様な構成により、２）、４）、５）の効果をも同様に得ることができる。また、加えて以下の効果がある。
６）本実施形態での排水部は、溝状の縦樋部７０で形成されているので、排水路をより確実に確保でき、汚れを含んだ雨水をガラスパネル等の中央側に流れ出し難くして、その表面が汚れるのを一層確実に防止できる。
【００３１】
〔第３実施形態〕
図５、図６には、第３実施形態に係るカーテンウォール３の縦断面、横断面が示されている。
カーテンウォール３では、無目２０に設けられた上下の保持部２５，２６により、ガラスパネル３０およびアルミパネル４０の上下の端縁のみが保持され、左右の端縁が構造シーラント等を介して方立１０側に接着されている。従って、方立１０には、第１、第２実施形態のような呑込部１２が設けられておらず、無目２０の両端は方立１０に固定されたアタッチメント１８に当接されている。この無目２０においては、その押出成形時に横樋部５０が一体に形成されており、第１，第２実施形態のような化粧カバー２３が設けられていない。
【００３２】
図６に示すように、左右のアルミパネル４０間には、シール材１６が露出した縦目地８０が形成され、この縦目地８０が本発明の排水部として機能する。さらに、図示を省略するが、この縦目地８０は、左右のガラスパネル３０間にも連続して設けられている。
【００３３】
また、隣り合う横樋部５０間であって、その下方位置には、図７にも示すように、平面Ｔ字状とされた案内部材９０が配置されている。この案内部材９０は、横樋部５０に沿い、かつ上方に開口した流入部９１と、流入部９１から縦目地８０のシール材１６近傍まで延び、かつ上方およびシール材１６と対向するように開口した排出部９２とで構成され、シール材１６側に傾斜した水勾配の底部９３を備えている。
【００３４】
また、図６中の左側に示すように、カーテンウォール３の端縁側においては、横樋部５０と方立１０に固定された仕切部材１９との間であって、その下方位置には、図８にも示すように、平面Ｌ字状とされた別の案内部材１００が配置されている。この案内部材１００も、流入部１０１および排出部１０２で構成され、底部１０３を備えている。
【００３５】
本実施形態では、横樋部５０で受けられた雨水は、その端部から案内部材９０，１００によって縦目地８０の奥側に案内され、シール材１６の表面を伝って流れ落ちる。
【００３６】
このような本実施形態によれば、前述した１）、３）〜５）の効果を同様に得ることができるのに加え、本実施形態の特有の構成により、さらに以下の効果がある。
７）横樋部５０は、無目２０自身に一体に設けられており、このような横樋部５０を無目２０の押出成形と同時に容易に形成することができる。
【００３７】
８）横樋部５０の端部下方位置には案内部材９０，１００が設けられているので、雨水を横樋部５０から縦目地８０内に確実に案内することができ、横樋部５０の端部から雨水が漏れ出すのを有効に防止できる。
【００３８】
９）案内部材９０，１００の排出部９２，１０２は、縦目地８０の奥側まで延びでシール材１６に近接しているため、雨水がシール材１６上を確実に伝い落ちるようになり、シール材１６の洗浄をより効果的に行える。
【００３９】
〔第４実施形態〕
図９は、住宅等の外壁４の要部を示す外観姿図、図１０、図１１は、図９の矢印X−Xから見た縦断面図、および矢印XI−XIから見た横断面図である。
外壁４の開口部Ａ内には、上下一対のフィックス窓１１０と、防汚パネルからなる薄板状のアルミパネル４０とが配置されており、開口部Ａ周りはサイディング等の外壁材１２０（図１１）で覆われている。また、開口部Ａの左右には、フィックス窓１１０およびアルミパネル４０を挟むようにして中空の化粧方立１２１が立設されている。
【００４０】
フィックス窓１１０は、それぞれアルミの押出形材からなる上枠１１１、下枠１１２、左右の縦枠１１３を四周枠組みした窓枠１１４内にガラスパネル３０を配置した構成である。
【００４１】
このようなフィックス窓１１０の上枠１１１には、横樋部５０を備えた断面Ｆ字状の樋部材１３０が設けられている（図１０に、下側のフィックス窓１１０の上枠１１１を図示した）。この樋部材１３０は、上枠１１１と略同じ見付け寸法を有しているとともに、長手方向に連続した取付片部１３１を備え、その長手方向の複数箇所で上枠１１１にビス止めされている。また、取付片部１３１の室外側に設けられた前記横樋部５０の端部は、左右の化粧方立１２１の対向面１２２に密着している。
【００４２】
化粧方立１２１の対向面１２２には、横樋部５０の端部に対応した位置に排水口１２３が設けられ、横樋部５０で受けられた雨水がこの排水口１２３から化粧方立１２１内に流れ込み、化粧方立１２１の内面を伝って外壁４の下端側に排水される。
なお、本実施形態のような樋部材１３０は、少なくとも下側のフィックス窓１１０の上枠１１１に設けられていればよく、上側のフィックス窓１１０の樋部材１３０を省略してもよい。
【００４３】
本実施形態によれば、横樋部５０を備えた樋部材１３０がフィックス窓１１０の上枠１１１に設けられているので、フィックス窓１１０のガラスパネル３０が汚れるのを防止でき、前述した１）の効果を同様に得ることができる。また、樋部材１３０は、長手方向の複数箇所で上枠１１１にビス止めされているので、樋部材１３０を上枠１１１に確実に取り付けておくことができ、構成は異なるが前述の２）の効果も同様に得ることができる。さらに、第１〜第３実施形態と同じ構成により、前述の４）、５）の効果も得ることができる。
【００４４】
さらに、本実施形態によれば、以下の効果がある。
10）化粧方立１２１の対向面１２２において、横樋部５０の端部が密着する位置には、化粧方立１２１の内部と連通する排水口１２３が設けられているので、横樋部５０で受けた雨水をその排水口１２３から化粧方立１２１の内部を通して排水できる。このため、汚れを多く含んだ排水中の雨水が、風などの影響で飛散してガラスパネル３０に降りかかる心配がなく、排水性を格段に向上させることができる。
【００４５】
なお、本発明は、前記実施形態に限定されるものではない。
例えば、前記第４実施形態では、横樋部５０の端部を化粧方立１２１に密着させ、この化粧方立１２１の排水口１２３から雨水を排水させていたが、これに限らず、排水口１２３の代わりに横樋部５０の端部に第１実施形態のような切欠部５１（図３）を設け、雨水をこの切欠部５１から化粧方立１２１の対向面１２２上を伝い落としてもよい。
【００４６】
第３実施形態では、案内部材９０，１００が用いられていたが、このような案内部材９０，１００を他の実施形態に適用してもよい。
【００４７】
第２実施形態において、方立１０の室外側に設けられた縦樋部７０付の保持片１７（図４）は、方立１０と一体に形成されているが、このような保持片１７を別体で設け、無目２０に対する化粧カバー２３のように、方立に対して係合させることで縦樋部７０を形成してもよい。
【００４８】
前記各実施形態では、アルミパネル４０が光触媒コーティングされた防汚パネルであったが、ガラスパネル３０の上方に配置されるパネルとしては、防汚パネルに限定されるものではなく、例えば、光触媒コーティングを施していないアルミ等の金属パネルや、石材パネルであってもよい。また、住宅等においては、ガラスパネル３０（ガラス障子）の上側は、モルタルやサイディングからなる外壁部分であってもよい。要するに本発明は、ガラスパネル３０の上側に横樋部５０が設けられていればよく、ガラスパネル３０（横樋部）の上側の外壁部分の形態は任意である。
【００４９】
【発明の効果】
以上に述べたように、本発明によれば、ガラスパネルの上側には横樋部が設けられ、横樋部の端部がガラスパネルを避けるようにして設けられた排水部に連通しているので、汚れを含んだ雨水がガラスパネル上に伝い落ちる心配がなく、ガラスパネルが汚れるのを確実に防止できるという効果がある。
【図面の簡単な説明】
【図１】本発明の第１実施形態に係る汚れ防止構造が適用された外壁の要部を示す外観姿図である。
【図２】図１の矢印II−IIから見た縦断面図である。
【図３】図１の矢印III−IIIから見た横断面図である。
【図４】本発明の第２実施形態に係る汚れ防止構造が適用された外壁の要部を示す横断面図である。
【図５】本発明の第３実施形態に係る汚れ防止構造が適用された外壁の要部を示す縦断面図である。
【図６】前記第３実施形態の横断面図である。
【図７】前記第３実施形態の一構成部材を示す全体斜視図である。
【図８】前記第３実施形態の他の構成部材を示す全体斜視図である。
【図９】本発明の第４実施形態に係る汚れ防止構造が適用された外壁の要部を示す外観姿図である。
【図１０】図９の矢印X−Xから見た縦断面図である。
【図１１】図９の矢印XI−XIから見た横断面図である。
【符号の説明】
１〜３…外壁であるカーテンウォール、４…外壁、１６…シール材、２０…横材である無目、３０…ガラスパネル、４０…光触媒コーティングが施されたアルミパネル、５０…横樋部、６０…排水部、９０，１００…案内部を形成する案内部材、横材である１１１…上枠。
【図１】
0003762586.tif 000002
【図２】
0003762586.tif 000003
【図３】
0003762586.tif 000004
【図４】
0003762586.tif 000005
【図５】
0003762586.tif 000006
【図６】
0003762586.tif 000007
【図７】
0003762586.tif 000008
【図８】
0003762586.tif 000009
【図９】
0003762586.tif 000010
【図１０】
0003762586.tif 000011
【図１１】
0003762586.tif 000012